(57)【要約】【課題】複数の端子仕様に対応させることができ、改修時の施工を容易にすることができるＣＡＴＶ伝送用増幅器を提供する。【解決手段】複数の出力端子を備えた幹線分岐増幅器に複数のソケット端子を備えた出力切替部を設ける。出力切替部は、回路切替カードを通常の向き及び逆向きに装着できるように構成する。回路切替カードは、１〜９番の接続ピンを備え、回路配線によって所定番号のピン間を接続する。出力切替部のソケットコネクター部に回路切替カードを通常の向きに装着した場合は、分岐増幅器の出力と複数の出力端子との間を端子仕様１となるように接続する。また、回路切替カードを逆向きに装着した場合は、分岐増幅器の出力と複数の出力端子との間を端子仕様２となるように接続する。【選択図】図９
2012138855.tif 000002
【特許請求の範囲】
【請求項１】
回路基板上に所定の間隔で離して設けたパネルに長方形の開口を設け、前記パネルの長方形の開口に、カード状の基板からなる回路切替カードの挿入を案内するために、２つの対称的に対向して形成された案内溝を有するスロット部材を前記長方形の開口から前記回路基板側に貫挿し、更に前記回路基板において前記スロット部材のスロットの横方向の中心線に対応する線上に、複数のソケット端子を等間隔に一列に配置するソケットコネクター部を設けたのものに対し、前記スロット部材の案内溝を案内として、複数の接続ピンを前記カード状の基板の一端側に等間隔に一列に設けたピンコネクター部を有する前記回路切替カードにより、前記回路切替カードを表側方向若しくは裏側方向何れかの方向に前記スロット部材の案内溝を案内としてスロットに挿入することで前記ソケットコネクター部と前記ピンコネクター部の接続状態を反転可能にして回路を切替えることを特徴とする回路切替手段。
【請求項２】
回路基板上に設けたパネルに長方形の開口を設け、前記パネルの長方形の開口に、カード状の基板からなる回路切替カードの挿入を案内するために２つの対称的に対向して形成された案内溝を有するスロット部材をパネルの長方形の開口に設け、更に前記回路基板のスロット部材の直下に複数のソケット端子を一列に配置するソケットコネクター部を設け、前記スロット部材の案内溝を案内として、複数の接続ピンを前記カード状の基板の一端側に等間隔に一列に設けてなるピンコネクター部を有する前記回路切替カードを、スロット部材の第１の方向若しくは第２の方向何れかの方向に前記案内溝を案内としてスロットに挿入することで、回路を切替えることを可能する回路切替手段を設けたことを特徴とする電子機器装置。
【請求項３】
入力信号を増幅回路により増幅して複数の出力端子に分岐あるいは分配するＣＡＴＶ伝送用増幅器において、前記増幅回路と前記複数の出力端子との間に設けられる出力切替部と、複数の接続ピンを備えると共に所定位置の接続ピン間を接続する回路配線を備え、前記出力切替部に設けた一列、等間隔で配置された複数のソケット端子からなるソケットコネクター部に第１の向き及び第２の向きに装着可能である回路切替カードとを具備し、
前記回路切替カードは、前記出力切替部のソケットコネクター部に対して第１の向きに装着した場合と第２の向きに装着した場合とで前記増幅回路の出力と複数の出力端子との間の回路が切替わり、異なる端子仕様とすることができることを特徴とするＣＡＴＶ伝送用増幅器。
【発明の詳細な説明】
【技術分野】
【０００１】
本発明は、回路切替カードを用いて複数の端子仕様に対応させることができる回路切替手段、当該回路切替手段を具備した電子機器装置、及びＣＡＴＶ伝送用増幅器に関する。
【背景技術】
【０００２】
ＣＡＴＶシステムでは、受信点装置（ヘッドエンド）で受信したテレビ信号を伝送する際、高品位の同軸ケーブルにより一定の間隔でＣＡＴＶ伝送用増幅器（幹線増幅器）を多段にカスケードに接続し、該増幅器で信号を増幅しながら加入者端末が集合するエリアまで伝送している（例えば、特許文献１参照。）。
【０００３】
既設の施設において、例えば製品寿命や故障、あるいは伝送帯域の拡張などでＣＡＴＶ伝送用増幅器を交換する場合がある。
【０００４】
上記ＣＡＴＶ伝送用増幅器において、幹線出力と分岐出力を備えた幹線分岐増幅器、または幹線出力と分配出力を備えた幹線分配増幅器の端子仕様は、メーカーによって様々であるが、多くは図１０（ａ）に示す端子仕様１と、同図（ｂ）に示す端子仕様２の２種類に分けられる。なお、図１０は幹線分岐増幅器１０の端子仕様を示しているが、幹線分配増幅器においても同様の端子仕様となっている。
【０００５】
図１０（ａ）に示す幹線分岐増幅器１０の端子仕様１は、ケース本体の左側に入力端子１１と第１の分岐出力端子１３ａが設けられ、右側に幹線出力端子１２と第２の分岐出力端子１３ｂが設けられている。この場合、入力端子１１とケース本体の左右対称の位置に幹線出力端子１２が設けられる。また第１の分岐出力端子１３ａとケース本体の左右対称の位置に第２の分岐出力端子１３ｂが設けられる。
【０００６】
図１０（ｂ）に示す幹線分岐増幅器１０の端子仕様２は、ケース本体の左側に入力端子１１と第１の分岐出力端子１３ａが設けられ、右側に第２の分岐出力端子１３ｂと幹線出力端子１２とが設けられている。この場合、入力端子１１とケース本体の左右対称の位置に第２の分岐出力端子１３ｂが設けられ、第１の分岐出力端子１３ａとケース本体の左右対称の位置に幹線出力端子１２が設けられる。すなわち、図１０（ｂ）に示す幹線分岐増幅器１０の端子仕様２は、上記端子仕様１に対して幹線出力端子１２と第２の分岐出力端子１３ｂの位置が入れ替わっている。
【０００７】
国内のメーカーでは、図１０（ａ）に示す端子仕様１を採用しているが、海外メーカーなどでは、図１０（ｂ）に示す端子仕様を採用している所もある。また、古い機器では、図１０（ｂ）に示す端子仕様２を採用している場合がある。
【０００８】
しかし、現在では、図１０（ｂ）に示す端子仕様２を採用しているメーカーが少なくなっている。このため図１０（ｂ）に示す端子仕様２の増幅器を元位置交換で改修、すなわちケーブルはそのまま使用して増幅器のみ交換する場合には、図１０（ａ）に示した端子仕様１の増幅器を選択せざるを得ない場合が多く、幹線出力のケーブルと分岐出力のケーブルを交差して接続しなければならない状況となり、施工が複雑化し、ケーブルが届かず、ケーブルを引き直さなければならないという問題が生じている。
【０００９】
また、本発明に関連する公知技術として、ＣＡＴＶシステム等の伝送路に使用される広帯域増幅器において、高周波増幅器及び損失補償部が組み込まれたメイン基板に対し、上記メイン基板の損失補償部にコネクターを介して着脱可能に波形整形回路からなるサブ基板を設けると共に、上記損失補償部の入力端子と出力端子との間に高周波スイッチを設け、上記サブ基板の着脱を検出し、サブ基板が装着されているときは上記高周波スイッチをオフして伝送信号を上記波形整形回路を通過させ、サブ基板が装着されていない状態では上記高周波スイッチをオンして伝送信号を上記入力端子から出力端子に伝送させることにより、サブ基板を安全に交換できるようにした技術が知られている（例えば、特許文献２参照。）
【先行技術文献】
【特許文献】
【００１０】
【特許文献１】特開２００４−３２０４１６号公報
【特許文献２】特開平１１−２１５０３２号公報
【発明の概要】
【発明が解決しようとする課題】
【００１１】
上記のように既存ＣＡＴＶ用増幅器が長期の使用によって性能が劣化し、あるいは故障等によって交換の必要が生じた場合において、ケーブルの交換は行わず、現在では使用されていない図１０（ｂ）に示す端子仕様の増幅器を交換する場合には、端子仕様が現在のものと異なるために幹線出力のケーブルと分岐出力のケーブルを交差して接続しなければならない状況となり、施工が複雑化し、ケーブルが届かず、ケーブルを引き直さなければならない等の問題が発生する。
【００１２】
本発明は上記の課題を解決するためになされたもので、回路切替カードの挿入、差し替えにより、簡易に回路を切替えることを可能とする回路切替手段と、当該回路切替手段を搭載して複数の端子仕様に対応させることができ、改修時の施工を容易にすることができる電子機器装置（殊にＣＡＴＶ伝送用増幅器）を提供することを目的とする。
【課題を解決するための手段】
【００１３】
第１の発明は、回路切替手段において、回路基板上に所定の間隔で離して設けたパネルに長方形の開口を設け、前記パネルの長方形の開口に、カード状の基板からなる回路切替カードの挿入を案内するために、２つの対称的に対向して形成された案内溝を有するスロット部材を前記長方形の開口から前記回路基板側に貫挿し、更に前記回路基板において前記スロット部材のスロットの横方向の中心線に対応する線上に、複数のソケット端子を等間隔に一列に配置するソケットコネクター部を設けたのものに対し、前記スロット部材の案内溝を案内として、複数の接続ピンを前記カード状の基板の一端側に等間隔に一列に設けたピンコネクター部を有する前記回路切替カードにより、前記回路切替カードを表側方向若しくは裏側方向何れかの方向に前記スロット部材の案内溝を案内としてスロットに挿入することで前記ソケットコネクター部と前記ピンコネクター部の接続状態を反転可能にして回路を切替えることを特徴とする。
【００１４】
第２の発明は、電子機器装置において、回路基板上に設けたパネルに長方形の開口を設け、前記パネルの長方形の開口に、カード状の基板からなる回路切替カードの挿入を案内するために２つの対称的に対向して形成された案内溝を有するスロット部材をパネルの長方形の開口に設け、更に前記回路基板のスロット部材の直下に複数のソケット端子を一列に配置するソケットコネクター部を設け、前記スロット部材の案内溝を案内として、複数の接続ピンを前記カード状の基板の一端側に等間隔に一列に設けてなるピンコネクター部を有する前記回路切替カードを、スロット部材の第１の方向若しくは第２の方向何れかの方向に前記案内溝を案内としてスロットに挿入することで、回路を切替えることを可能する回路切替手段を設けたことを特徴とする。
【００１５】
第３の発明は、ＣＡＴＶ伝送用増幅器において、入力信号を増幅回路により増幅して複数の出力端子に分岐あるいは分配するＣＡＴＶ伝送用増幅器において、前記増幅回路と前記複数の出力端子との間に設けられる出力切替部と、複数の接続ピンを備えると共に所定位置の接続ピン間を接続する回路配線を備え、前記出力切替部に設けた一列、等間隔で配置された複数のソケット端子からなるソケットコネクター部に第１の向き及び第２の向きに装着可能である回路切替カードとを具備し、前記回路切替カードは、前記出力切替部のソケットコネクター部に対して第１の向きに装着した場合と第２の向きに装着した場合とで前記増幅回路の出力と複数の出力端子との間の回路が切替わり、異なる端子仕様とすることができることを特徴とする。
【発明の効果】
【００１６】
本発明によれば、ＣＡＴＶ用増幅器などの電子機器装置の出力切替部に設けられたカードスロット部材に装着する回路切替カードの向きを通常の向き（以下第１の向きとする）と逆向き（以下第２の向きとする）に差し替えることにより、幹線出力及び分岐出力あるいは分配出力の端子位置を切替えて端子仕様を任意に設定することができる。従って、既存ＣＡＴＶ用増幅器が長期の使用によって性能が劣化し、あるいは故障等によって交換の必要が生じた場合、その増幅器の端子仕様が仕様１あるいは仕様２の何れであっても、回路切替カードの装着方向を差し替えるだけで容易に対応することができ、幹線出力と分岐出力のケーブルを交差させて接続する必要が無く、施工を短時間で終了することができる。
【図面の簡単な説明】
【００１７】
【図１】本発明の実施例１に係る幹線分岐増幅器の構成を示す図である。
【図２】同実施例１における幹線分岐増幅器のケース本体における出力切替のための出力切替部に使用されるカードスロット部材の設置の状況を示す斜視図である。
【図３】同実施例１におけるカードスロット部材の上部開口部を示す斜視図である。
【図４】同実施例１における出力切替部の回路配線図である。
【図５】同実施例１における回路切替カードの構成を示し、（ａ）は正面側の斜視図、（ｂ）は裏面側の斜視図である。
【図６】同実施例１におけるカードスロット部材に回路切替カードを装着した状態を示し、（ａ）は回路切替カードを第１の向きに装着したときの斜視図、（ｂ）は回路切替カードを第２の向きに装着したときの斜視図である。
【図７Ａ】同実施例１において、回路切替カードが第１の方向にカードスロット部材の第１の案内溝を案内としてメイン基板のソケット端子に挿入される状態の詳細を示す図である。
【図７Ｂ】同実施例１において、回路切替カードが第２の方向にカードスロット部材の第２の案内溝を案内としてメイン基板のソケット端子に挿入される状態の詳細を示す図である。
【図７Ｃ】同実施例１において、回路切替カードが第１の方向にカードスロット部材の第１の案内溝を案内としてメイン基板上のソケットコネクター部のソケット端子に略挿入された状態の詳細を示す図である。
【図８】同実施例１において、出力切替部のソケットコネクター部に回路切替カードのピンコネクター部を装着した場合の回路構成を示し、（ａ）は回路切替カードを第１の向きに装着した場合の回路構成図、（ｂ）は回路切替カードを第２の向きに装着した場合の回路構成図である。
【図９】同実施例１における幹線分岐増幅器の端子仕様の切替動作を示し、（ａ）は回路切替カードを第１の向きに装着した場合の端子仕様１の信号出力状態を示す図、（ｂ）は回路切替カードを第２の向きに装着した場合の端子仕様２の信号出力状態を示す図である。
【図１０】本発明の対象とする幹線分岐増幅器の端子仕様を示し、（ａ）は端子仕様１の構成図、（ｂ）は端子仕様２の構成図である。
【発明を実施するための形態】
【００１８】
以下、本発明の実施の形態について図面を参照して詳細に説明する。
【実施例１】
【００１９】
この実施例１は、回路切替カードのピンコネクター部とメイン基板上のソケットコネクター部を用いて、上記回路切替カードを第１の方向若しくは第２の方向何れかの向きに上記回路切替カードを、２つの案内溝を有するカードスロット部材を介して上記メイン基板上の上記ソケットコネクター部に、その接続される配列の向きを正、逆に正確に挿入、接続させることで、出力の回路経路を切替えることができる出力切替部を具備するＣＡＴＶシステムにおける幹線分岐増幅器に実施した場合を例として示している。
【００２０】
図１は本発明の実施例１に係る幹線分岐増幅器２０の構成図である。図１において、２１はケース本体で、このケース本体２１の左側に入力端子２２が設けられ、右側に第１出力端子２３ａ及び第２出力端子２３ｂが設けられる。更に、ケース本体２１の左側に第３出力端子２３ｃが設けられる。この場合、入力端子２２と第１出力端子２３ａとがケース本体の左右に対称の位置に設けられる。また第２出力端子２３ｂと第３出力端子２３ｃとがケース本体の左右に対称の位置に設けられる。
【００２１】
また、ケース本体２１内には、分岐増幅回路の主要な回路部分が搭載された印刷配線板であるメイン基板２４が設けられている。ケース本体２１を斜視した図２において、詳細は図示しないが、上記メイン基板２４の上方、約１５ｍｍ離して約０．２ｍｍ厚のアルミニュウムなどの板材からなるメインパネル２５が上記メイン基板２４の保護カバーとしてケース本体２１に取付けられている。
【００２２】
上記メイン基板２４には、複数のソケット端子４１から構成されるソケットコネクター部４３を有する出力切替部３９が設けられる。上記出力切替部３９は、図７Ａにその詳細を示すように上記メインパネル２５の長方形の開口に、カード状の基板５２からなる回路切替カード５０の挿入を案内する対称的に２つの対向して形成された案内溝４２ａ、４２ｂを有するカードスロット部材４０を上記メインパネルの長方形の開口から上記メイン基板側に貫挿し、更に前記メイン基板２４において上記スロットの横方向の中心線に対応する線上に、複数のソケット端子４１を等間隔に一列に配置するソケットコネクター部４３を設けた構成となっている。ソケット端子４１には、印刷基板に直接半田付けされるコネクター用のソケット端子（例えば、一般に市販されているオムロン社のソルダースリーブ端子（形名：ＸＲ２Ｅ））などが用いられる。
【００２３】
分岐増幅回路３０及び該分岐増幅回路３０に対する上記第１出力端子２３ａ及び第２出力端子２３ｂの接続を切替える出力切替部３９が設けられる。
【００２４】
分岐増幅回路３０は、増幅器３１、３２、方向性結合器３３、増幅器３４、３５及び信号を２分岐する分岐器３６により構成される。信号伝送用ケーブルから入力端子２２に入力された信号は、増幅器３１、３２で増幅され、方向性結合器３３を介して増幅器３４へ入力される。この増幅器３４の出力は、前記メイン基板２４上の出力切替部３９の１番ソケット端子へ入力Ａとして接続される。
【００２５】
また、増幅器３２から出力される信号は、方向性結合器３３で分岐されて増幅器３５に入力され、増幅された後、分岐器３６で２分岐される。この分岐器３６の一方の分岐出力は、第３出力端子２３ｃへ接続され、他方の分岐出力は出力切替部３９のソケットコネクター部４３の６番ソケット端子へ入力Ｂとして接続される。また、ソケットコネクター部４３の３番ソケット端子が第１出力端子２３ａに出力Ａとして接続され、８番ソケット端子が第２出力端子２３ｂに出力Ｂとして接続される。
【００２６】
図３はカードスロット部材４０の上部開口部を示している。
【００２７】
上記メイン基板２４に設けられた出力切替部３９に対して、図３に示すようにその直上部に回路切替カード５０の挿入の案内のためのカードスロット部材４０がメインパネル２５にネジ６１ａ、６１ｂにより取付けられている。
【００２８】
図３に示すように上記カードスロット部材４０は２つの案内溝４２ａ、４２ｂを備え、詳細を後述する回路切替カード５０の第１の向きと、回路切替カード５０の面を反転させた第２の向きで装着する際に前記回路切替カード５０を適切に案内できるようになっている。すなわち、カードスロット部材４０の案内溝４２ａは回路切替カード５０を第１の向きに案内して装着でき、案内溝４２ｂには回路切替カード５０を第２の向きに案内して装着できる。
【００２９】
上記出力切替部３９のソケットコネクター部４３には、図４に示す回路配線が施されている。上記したように１番ソケット端子は入力Ａ、３番ソケット端子は出力Ａ、６番ソケット端子は入力Ｂ、８番ソケット端子は出力Ｂとして設定される。そして、２番ソケット端子は空き端子、４、５、７番ソケット端子は直接接地される。また、９番ソケット端子は直流電圧Ｖｃｃが抵抗Ｒを介して与えられると共に、コンデンサＣ１を介して接地される。すなわち、９番ソケット端子は直流電圧Ｖｃｃによりプルアップされる。出力切替部３９のカードスロット部材４０には、詳細を後述するように回路切替カード５０が装着されるが、その装着状態を９番ソケット端子の電圧を監視することで検知している。
【００３０】
上記出力切替部３９のカードスロット部材４０には、図５に示す回路切替カード５０が装着される。図５は回路切替カード５０の構成を示したもので、（ａ）は回路切替カード５０の第１の面側の斜視図、（ｂ）は回路切替カード５０の第２の面側の斜視図である。
【００３１】
回路切替カード５０は、第１の面側に対応する基板５２の５２ａ側（以下Ａ面と呼ぶ）の下部に接続ピン保持部材５３を備えている。この接続ピン保持部材５３には上記出力切替部３９のソケットコネクター部４３の１〜９番のソケット端子４１に対応する１〜９番の接続ピン５１が下方に突出して、ピンコネクター部４４を構成している。上記基板５２のＡ面５２ａ及び第２の面側に対応する５２ｂ側（以下Ｂ面と呼ぶ）には、それぞれプリント配線が施され、１〜９番の接続ピン５１における所定のピン番号間が接続される。すなわち、基板５２のＡ面５２ａにおいては、１−３番ピン間が配線５４ａにより接続され、６−８番ピン間が配線５４ｂにより接続される。また、基板５２のＢ面５２ｂにおいては、２−９番ピン間が配線５４ｃにより接続され、４−７番ピン間が配線５４ｄにより接続される。なお、５番ピンは空き端子となっている。
【００３２】
図６は、カードスロット部材４０に回路切替カード５０を装着した状態を示したもので、（ａ）は回路切替カード５０を第１の向きに装着した状態を示す斜視図、（ｂ）は回路切替カード５０を第２の向き、すなわち、面を反転して装着した状態を示す斜視図である。
【００３３】
図７Ａは回路切替カード５０を第１の向きに挿入した場合の断面を示した図である。図７Ｂは回路切替カード５０を第２の向きに挿入した場合の断面を示した図である。また図７Ｃは上記第１の向きの挿入で回路切替カード５０がソケット端子４１に接触する途中における説明図である。
【００３４】
カードスロット部材４０に回路切替カード５０を第１の向きに装着した場合、回路切替カード５０は、上記カードスロット部材４０の案内溝４２ａに案内されて、スロット内に挿入され、スロットの中心線上に配置されたソケットコネクター部４３を構成するソケット端子４１に接触して接続される。出力切替部３９の１〜９番のソケットコネクター部４３に対して回路切替カード５０の１〜９番のピンコネクター部４４が接続され、図８（ａ）に示した回路が構成される。すなわち、ソケットコネクター部４３の１−３番ソケット端子間が回路切替カード５０の配線５４ａにより接続され、６−８番ソケット間が回路切替カード５０の配線５４ｂにより接続される。また、ソケットコネクター部４３の４−７番ソケット端子は、回路切替カード５０の配線５４ｄにより接続され、共に接地された状態に保持される。そして、カードスロット部材４０の２−９番ソケット端子は、回路切替カード５０の配線５４ｃにより接続される。上記２番ソケット端子は、空き端子のため、ハイ（HIGH）レベルの状態に保持される。
【００３５】
上記図８（ａ）に示した回路では、図１の増幅器３４から出力切替部３９のソケットコネクター部４３の１番ソケット端子に入力された入力Ａは、回路切替カード５０の配線５４ａ及びソケットコネクター部４３の３番ソケット端子を介して第１出力端子２３ａから幹線出力Ａとして取り出される。
【００３６】
また、分岐器３６で分岐されてソケットコネクター部４３の６番ソケットに入力された入力Ｂは、回路切替カード５０の配線５４ｂ及びソケットコネクター部４３の８番ソケット端子を介して第２出力端子２３ｂから分岐出力Ｂとして取り出される。
【００３７】
この結果、出力切替部３９のカードスロット部材４０に回路切替カード５０を第１の向きに装着した場合には、図９（ａ）に示すように増幅器３４で増幅された信号（入力Ａ）が第１出力端子２３ａから幹線出力Ａとして取り出されると共に、分岐器３６で分岐された信号（入力Ｂ）が第２出力端子２３ｂから分岐出力Ｂとして取り出される端子仕様１（図１０（ａ）参照）の幹線分岐増幅器２０となる。なお、分岐器３６から第３出力端子２３ｃに分岐された信号は、出力切替部３９の切替え動作とは関係なく、常に第３出力端子２３ｃから分岐出力として取り出される。
【００３８】
また、カードスロット部材４０に回路切替カード５０を第２の向きに装着した場合、出力切替部３９のソケットコネクター部４３の１〜９番のソケット端子４１に対して回路切替カード５０のピンコネクター部４４が９〜１番ピンの順に接続され、図８（ｂ）に示した回路が構成される。すなわち、ソケットコネクター部４３の１−８番ソケット端子間が回路切替カード５０の９−２番ピンを介して配線５４ｃにより接続され、３−６番ソケット端子間が回路切替カード５０の７−４番ピンを介して配線５４ｄにより接続される。また、ソケットコネクター部４３の２−４番ソケット端子間は、回路切替カード５０の８−６番ピンを介して配線５４ｂにより接続されて接地される。また、ソケットコネクター部４３の７−９番ソケット端子間は、回路切替カード５０の３−１番ピンを介して配線５４ａにより接続されて接地される。従って、ソケットコネクター部４３の９番ソケット端子は、ロー（LOW）レベルに保持される。
【００３９】
上記図８（ｂ）に示した回路では、図１の増幅器３４から出力切替部３９のソケットコネクター部４３の１番ソケット端子に入力された入力Ａは、回路切替カード５０の配線５４ｃ及びソケットコネクター部４３の８番ソケット端子を介して第２出力端子２３ｂから幹線出力Ｂとして取り出される。
【００４０】
また、分岐器３６で分岐されて出力切替部３９のソケットコネクター部４３の６番ソケット端子に入力された入力Ｂは、回路切替カード５０の配線５４ｄ及びソケットコネクター部４３の３番ソケット端子を介して第１出力端子２３ａから分岐出力Ａとして取り出される。
【００４１】
この結果、出力切替部３９のカードスロット部材４０に回路切替カード５０を第２の向きに装着した場合には、回路切替カード５０は、上記カードスロット部材４０の案内溝４２ｂに案内されて、スロット内に挿入され、スロットの中心線上に配置されたソケットコネクター部４３を構成するソケット端子４１に接触して接続される。この際、上記第１の向きに回路切替カード５０を挿入した場合と回路切替カード５０の面の向きが反転しているので、回路切替カード５０のピンコネクター部とソケットコネクター部４３との接続は反転する。この結果、図９（ｂ）に示すように増幅器３４で増幅された信号（入力Ａ）が第２出力端子２３ｂから幹線出力Ｂとして取り出されると共に、分岐器３６で分岐された信号（入力Ｂ）が第１出力端子２３ａから分岐出力Ａとして取り出される端子仕様２（図１０（ｂ）参照）の幹線分岐増幅器２０となる。また、ソケットコネクター部４３の９番ソケット端子は、接地されてロー（LOW）レベルとなる。
【００４２】
上記ソケットコネクター部４３の９番ソケット端子に生じる電圧（電位）は、回路切替カード５０を第１の向きに装着した場合にはハイ（HIGH）レベル、回路切替カード５０を逆向きに装着した場合にはロー（LOW）レベルとなるので、９番ソケット端子の電圧を利用して回路切替カード５０の状態表示を行わせることができる。また、監視ユニットが搭載された増幅器では、監視ユニットで上記出力切替部３９における９番ソケット端子の電圧を監視することにより、監視センター側で回路切替カード５０の装着状態を監視することができる。
【００４３】
上記のように幹線分岐増幅器２０は、カードスロット部材４０に対する回路切替カード５０の装着方向を第１の向きと第２の向きに差し替えるだけで、幹線出力及び分岐出力の端子位置を切替えて端子仕様１あるいは端子仕様２に設定することができる。
【００４４】
従って、既存ＣＡＴＶ用増幅器が長期の使用によって性能が劣化し、あるいは故障等によって交換の必要が生じた場合、その増幅器の端子仕様が仕様１あるいは仕様２の何れであっても、回路切替カード５０の装着方向を差し替えるだけで容易に対応することができ、幹線出力と分岐出力のケーブルを交差させて接続する必要が無く、施工を短時間で終了することができる。
【００４５】
なお、上記実施例１では、幹線分岐増幅器２０に実施した場合を例として説明したが、その他、幹線分配増幅器、あるいは切替手段を具備する電子機器装置であっても、上記実施例１と同様にして実施することができる。
【００４６】
また、本発明は、上記実施の形態そのままに限定されるものではなく、実施段階ではその要旨を逸脱しない範囲で構成要素を変形して具体化できるものである。
【符号の説明】
【００４７】
２０…幹線分岐増幅器、２１…ケース本体、２２…入力端子、２３ａ…第１出力端子、２３ｂ…第２出力端子、２３ｃ…第３出力端子、２４…メイン基板、２５…メインパネル、３０…分岐増幅回路、３１、３２、３４、３５…増幅器、３３…方向性結合器、３６…分岐器、３９…出力切替部、４０…カードスロット部材、４１…ソケット端子、４２ａ、４２ｂ…案内溝、４３…ソケットコネクター部、４４…ピンコネクター部、５０…回路切替カード、５１…回路切替カードの接続ピン、５２…回路切替カードの基板、５２ａ…基板の第１の面（Ａ面）、５２ｂ…基板の第２の面（Ｂ面）、５３…回路切替カードの接続ピン保持部材、５４ａ、５４ｂ、５４ｃ、５４ｄ…回路切替カードの配線、６１ａ、６１ｂ…ネジ。
【図１】
2012138855.tif 000003
【図２】
2012138855.tif 000004
【図３】
2012138855.tif 000005
【図４】
2012138855.tif 000006
【図５】
2012138855.tif 000007
【図６】
2012138855.tif 000008
【図７Ａ】
2012138855.tif 000009
【図７Ｂ】
2012138855.tif 000010
【図７Ｃ】
2012138855.tif 000011
【図８】
2012138855.tif 000012
【図９】
2012138855.tif 000013
【図１０】
2012138855.tif 000014